(57)【特許請求の範囲】
【請求項１】
遊技を統括的に制御する遊技制御手段と、
前記遊技制御手段からの指令に対応して、遊技の演出を行う複数の演出装置を制御する演出制御手段と、
を備える遊技機において、
前記演出装置は、
表示領域にて演出表示を行う表示装置と、
前記演出表示に対応して所定の演出動作を行う演出動作役物と、を含み、
前記演出動作役物は、
光を透過させる透光部を有する装飾部材と、
前記装飾部材を動作させる駆動機構と、
を備え、
前記駆動機構は、前記表示領域を前記装飾部材で遮蔽し、
前記透光部の少なくとも一部は、光を拡散させるように構成され、
前記演出制御手段は、前記駆動機構により前記表示領域を前記装飾部材で遮蔽し、光を照射する照射手段による発光と前記表示装置の発光とを前記装飾部材を介して視認可能としたことを特徴とする遊技機。
【発明の詳細な説明】
【技術分野】
【０００１】
本発明は、表示ゲームを表示画面にて行う表示装置を備える遊技機に関する。
【背景技術】
【０００２】
従来、表示装置の表示部（１つの液晶表示器に複数の図柄を表示可能）の一部を隠蔽する遮蔽部材（飾り部材）を設けた遊技機が知られている。
【先行技術文献】
【特許文献】
【０００３】
【特許文献１】特開平１０−３１４３９４号公報
【発明の概要】
【発明が解決しようとする課題】
【０００４】
しかしながら、上記特許文献１の発明において、表示装置による演出表示と遮蔽部材による演出との演出に意外性がなかった。
【０００５】
本発明は、表示装置による演出表示と装飾部材による演出とによって、従来にない斬新な演出を実現する遊技機を提供するものである。
【課題を解決するための手段】
【０００６】
以上の課題を解決するため、請求項１に記載の発明は、
遊技を統括的に制御する遊技制御手段と、
前記遊技制御手段からの指令に対応して、遊技の演出を行う複数の演出装置を制御する演出制御手段と、
を備える遊技機において、
前記演出装置は、
表示領域にて演出表示を行う表示装置と、
前記演出表示に対応して所定の演出動作を行う演出動作役物と、を含み、
前記演出動作役物は、
光を透過させる透光部を有する装飾部材と、
前記装飾部材を動作させる駆動機構と、
を備え、
前記駆動機構は、前記表示領域を前記装飾部材で遮蔽し、
前記透光部の少なくとも一部は、光を拡散させるように構成され、
前記演出制御手段は、前記駆動機構により前記表示領域を前記装飾部材で遮蔽し、光を照射する照射手段による発光と前記表示装置の発光とを前記装飾部材を介して視認可能としたことを特徴とする。
【０００７】
ここで、遊技機には、パチンコ遊技機、アレンジボール遊技機、雀球遊技機などの弾球遊技機や、パチスロ或いはスロットマシーンなどが含まれる。
表示装置は、液晶表示装置、ＣＲＴ（陰極線管）表示装置などの単体の装置であっても、また、これら装置と多数の発光素子を配列した表示装置、回転ドラムを使用したメカ式の表示装置などとの組み合わせでもよく、画像表示可能な領域を含んでいればよい。
【０００９】
本出願にかかる他の発明は、
表示ゲームを表示画面にて行う表示装置を備える遊技機において、
前記表示装置の少なくとも一部を遮蔽する所定の曲率半径で湾曲した外面を有する遮蔽部材（メッキ扉３２０）と、
前記遮蔽部材を収納する収納部（収納部１１０）と、
前記遮蔽部材を駆動可能な駆動機構（第２駆動部３４０）と、
前記遮蔽部材の前方に配置され、光を透過するクリア部材（クリア扉３１０）と、
を備え、
前記表示装置は、当該表示装置の表示面の一部である第１領域と、当該第１領域以外の前記表示装置の表示面の全部又は一部である第２領域と、が形成され、
前記駆動機構は、前記遮蔽部材を駆動し、前記第１領域を遮蔽する第１状態と、前記遮蔽部材を収納部に収納する第２状態と、に変換可能であり、
前記遮蔽部材は、前記第１領域及び前記第２領域の前方を共に覆う前記クリア部材と前記表示装置との間に形成される空間内において、前記クリア部材に沿う経路上を動作することを特徴とする。
【００１０】
当該他の発明によれば、表示装置による演出表示と遮蔽部材による演出とによる意外性のある演出表示を行い、従来にない斬新な演出を実現することができる。
特に、所定の曲率半径で湾曲した外面を有する遮蔽部材としたことで、第１状態と第２状態との変換の際は、駆動機構によって、遮蔽部材を動作させればいいので、遊技機が有する奥行きを有効に活用して、三次元的に、遮蔽部材を好適に駆動することができる。
【００１１】
また、本出願にかかる他の発明は、上記遊技機であって、
前記収納部は、
前記クリア部材の上部又は下部の少なくともどちらかに対向する位置に配設される保護壁と、
前記遮蔽部材が前記第２状態において、当該遮蔽部材が正面より視認できないように隠蔽するための前壁と、を備えることを特徴とする。
【００１２】
また、本出願にかかる他の発明は、上記遊技機であって、
前記保護壁は、前記クリア部材の湾曲した外周に沿って、中央方向へ回り込むように配設されていることを特徴とする。
【００１３】
また、本出願にかかる他の発明は、上記遊技機であって、
前記前壁は、板部材で構成され、正面から見た際に、前記表示装置との左右位置関係において、当該表示装置の表示面に被らない位置に配設され、
前記遮蔽部材は、前記第２状態である際に、前記前壁の後方に収納されることを特徴とする。
【００１４】
本出願にかかる他の発明は、
表示ゲームを表示画面にて行う表示装置を備える遊技機において、
前記表示装置の表示領域の少なくとも一部を遮蔽する所定の曲率半径で湾曲した外面を有する遮蔽部材と、
前記遮蔽部材を、前記表示装置の表示領域を覆う第１状態と、前記表示装置の表示領域を覆わない第２状態と、に変換可能な駆動機構と、
前記第２状態において、前記遮蔽部材を隠蔽する収納部と、
を備え、
前記駆動機構は、前記曲率半径における曲率円の中心を軸として前記遮蔽部材を回動させることを特徴とする。
【００１５】
また、本出願にかかる他の発明は、上記遊技機であって、
前記遮蔽部材は、板部材で構成され、当該板部材が所定の曲率半径で湾曲していることを特徴とする。
【００１６】
また、本出願にかかる他の発明は、上記遊技機であって、
前記遮蔽部材は、
前記表示装置の表示領域の一部である第１領域を遮蔽する第１遮蔽部材と、
前記第１遮蔽部材により遮蔽された前記第１領域以外の前記表示領域の全部又は一部である第２領域を遮蔽する第２遮蔽部材と、
を備え、
前記駆動機構は、前記第１遮蔽部材を回動させる第１回動軸と、前記第２遮蔽部材を回動させる第２回動軸と、に駆動力を伝達する伝達手段を備え、
前記第１遮蔽部材の曲率半径は、前記第２遮蔽部材の曲率半径よりも大きく、前記収納部に重なり合うように収納されることを特徴とする。
【００１７】
また、本出願にかかる他の発明は、上記遊技機であって、
光を照射する照射手段を備え、
前記遮蔽部材は、透光性を有する部材を備え、
前記照射手段は、前記第１状態において、前記表示装置と前記遮蔽部材とにより形成される空間部に配設され、当該空間部に光を照射することを特徴とする。
【発明の効果】
【００１８】
本発明によれば、従来にない斬新な演出を実現することができる。
【図面の簡単な説明】
【００１９】
【図１】本発明を適用した一実施の形態の構成を示すパチンコ遊技機における遊技盤の正面図である。
【図２】遊技盤の前面側から見た分解斜視図である。
【図３】表示制御装置の前面側から見た分解斜視図である。
【図４】扉ユニットの前面側から見た斜視図である。
【図５】扉ユニットの前面側から見た分解斜視図である。
【図６】扉ユニットの前面側から見た斜視図である。
【図７】扉ユニットの前面側から見た斜視図である。
【図８】扉ユニットを構成する天井部及び底部の前面側から見た斜視図である。
【図９】扉ユニットの開閉動作を説明するための図である。
【図１０】図９におけるＡ−Ａ線の部分断面図である。
【図１１】扉ユニットの開閉動作を説明するための図である。
【図１２】図１１におけるＢ−Ｂ線の部分断面図である。
【図１３】扉ユニットの開閉動作を説明するための図である。
【図１４】図１３におけるＣ−Ｃ線の部分断面図である。
【図１５】扉ユニットの開閉動作を説明するための図である。
【図１６】図１５におけるＤ−Ｄ線の部分断面図である。
【発明を実施するための形態】
【００２０】
以下、この発明の実施形態について図面を参照して説明する。
ここでは、本発明にかかる遊技機の適例としてのパチンコ遊技機について説明を行う。
【００２１】
図１に示すように、本実施の形態のパチンコ遊技機１００は、内部の遊技領域１ａ内に遊技球を発射して（弾球して）遊技を行うもので、その前側上半部のガラス板の奥側には、遊技領域１ａを構成する遊技盤１が設置されている。
【００２２】
この遊技盤１のガイドレール２で囲まれた遊技領域１ａでは、図示しない発射装置によって発射された遊技球が流下するようになっている。遊技領域１ａ内には、普図始動ゲート（図示省略）、この普図始動ゲートを遊技球が通過して普図変動表示ゲームが未処理となっている未処理回数を表示する普図始動記憶表示器（図示省略）、普通図柄の変動表示ゲームを表示する普図変動表示器（図示省略）が設けられている。また、普通変動入賞装置７と、この普通変動入賞装置７に遊技球が入賞して特図の変動表示ゲームが未処理となっている未処理回数を点灯表示する特図始動記憶表示器（図示省略）、特図の変動表示ゲームを表示する特図変動表示器（図示省略）が設けられている。
【００２３】
また、上端側が手前側に倒れる方向に回動して開放可能になっているアタッカ形式の開閉扉１０ａを有し、特図の変動表示ゲームの結果如何によって大入賞口を閉じた状態（遊技者にとって不利な状態）から開放状態（遊技者にとって有利な状態）に変換する特別変動入賞装置１０、入賞口などに入賞しなかった遊技球を回収するアウト穴９が設けられている。この他、遊技領域１ａには、一般入賞口８，８，…、打球方向変換部材としての風車（図示省略）、多数の障害釘（図示省略）などが配設されている。
【００２４】
普通変動入賞装置７は左右一対の開閉部材７ａ，７ａを具備し、この開閉部材７ａ，７ａは、常時は遊技球が１個流入可能な程度の間隔で閉じた状態（遊技者にとって不利な状態）を保持しているが、普図変動表示ゲームの結果が所定の停止表示態様となった場合には、図示しない駆動装置（例えばソレノイド）によって、逆「ハ」の字状に開いて普通変動入賞装置７に遊技球が流入し易い状態（遊技者にとって有利な状態）に変化させられるようになっている。この普通変動入賞装置７は、特図の始動入賞口も兼ねている。すなわち、普通変動入賞装置７の内部（入賞領域）に備えられた始動口ＳＷ（図示省略）によって遊技球を検出することに基づき、特図の変動表示ゲームを開始する始動権利が発生するようになっている。
【００２５】
また、遊技領域１ａの略中央には、特図の変動表示ゲームの表示領域となる略矩形状の表示窓部１２を形成するセンターケース１１が取り付けられており、表示窓部１２の後方には、表示制御装置４０が配されている。この表示制御装置４０は、表示ゲームを表示画面にて行う表示装置２００を備えており、この表示装置２００は、液晶表示装置２１２を備え、表示内容が変化可能な表示部２１２ａがセンターケース１１の表示窓部１２を介して遊技盤１の前面側から視認可能となるように配されている。なお、表示装置２００は、液晶表示装置２１２を備えるものに限らず、ＥＬ、ＣＲＴ等のディスプレイを備えるものであっても良い。なお、センターケース１１及び表示制御装置４０の詳細な構成については後述する。
【００２６】
そして、遊技領域１ａ内に打ち込まれた遊技球が特図の始動口を兼ねる普通変動入賞装置７へ進入して始動条件が成立することに基づき、特図変動表示器において特図の変動表示ゲームを実行可能となっている。また、液晶表示装置２１２にて複数種類の識別情報（例えば、数字、記号、キャラクタ図柄など）を変動表示させる特図の変動表示ゲームに対応した表示ゲームを実行可能となっている。なお、この表示ゲームは、液晶表示装置２１２において、複数種類の識別情報を所定時間変動表示させることにより行う。そして、この特図の変動表示ゲームの結果として、特図変動表示器の表示態様が特別結果態様（たとえば「７」）となった場合には、大当たりとなって特別遊技状態（いわゆる、大当たり状態）となる。また、これに対応して液晶表示装置２１２の表示態様も特別結果態様（例えば、「７，７，７」等のゾロ目数字の何れか）となる。
【００２７】
また、例えば、液晶表示装置２１２の表示部２１２ａを左領域、中領域、右領域の三つに分け、各領域で１〜９までの数字（特図：識別情報）を順次変動表示した後に、三つの各領域の変動表示を順に停止し（例えば、左領域、右領域、中領域の順で停止）、停止図柄として各領域で１つの数字が表示される特図の変動表示ゲームが行われる。また、二つの領域の変動表示を停止し、残りの一つの領域が変動表示しているときに、停止した二つの領域の数字が同じ数字で停止した状態（リーチ状態）になったときには、最後に停止する図柄の停止方法を変化できるようにしている。このようなリーチ状態における変動表示の停止方法の変化（リーチアクション）としては、例えば、通常より変動表示の時間を長くしたり、キャラクタなどを登場させたりするものがある。また、まれに、あるリーチアクションから別のリーチアクションへ発展させたり、通常のリーチアクションとは違ったリーチアクション（いわゆるスペシャルリーチ、プレミアムリーチ）を出現させたりして遊技者の興趣を向上させるようにしている。具体的には、例えば、通常のリーチ状態からスペシャルリーチ等に発展する場合、扉ユニット３００の開閉動作によって、液晶表示装置２１２の表示部２１２ａの右領域を覆うようなリーチアクションを行う。
【００２８】
特別変動入賞装置１０は、上端側が手前側に倒れる方向に回動して開放可能になっているアタッカ形式の開閉扉１０ａによって開閉される大入賞口を備えていて、特別遊技状態中は、大入賞口を閉じた状態から開いた状態に変換することにより大入賞口内への遊技球の流入を容易にさせる。なお、開閉扉１０ａは、大入賞口ソレノイド（図示省略）により駆動される。また、大入賞口の内部（入賞領域）には、該大入賞口に入った遊技球を検出するためのカウントＳＷ（図示省略）が配設されている。
【００２９】
また、遊技領域１ａに設けられた各一般入賞口８，８，…には、一般入賞口８，８，…に入った遊技球を検出するための入賞口ＳＷ（図示省略）が配設されている。そして、遊技を開始することにより遊技領域１ａ内に打ち込まれた遊技球が、一般入賞口８，８，…、普通変動入賞装置７、特別変動入賞装置１０等の入賞口の何れかに入賞すると、それぞれの入賞口に対応した所定数の賞球が排出される（払い出される）ようになっている。
【００３０】
図１，２に示すように、遊技領域１ａの略中央に配されるセンターケース１１は、中央に液晶表示装置２１２の表示領域を区画する矩形状の表示窓部１２を有するとともにその周囲に装飾が施され、遊技盤１に形成された開口１ｂに前面側から嵌め込まれている。また、図２に示すように、センターケース１１の中央であって表示窓部１２が形成された部分は、所定の前後幅を有する筒状の空間となっており、この筒状の空間の後端部は、透明な材質からなる保護パネル２８によって閉鎖されている。すなわち、センターケース１１の中央には、後方に窪んだ凹室１６が形成されている。
【００３１】
また、センターケース１１の前面から見て右側には、後述する略半円筒形状をなす扉ユニット３００を収納する収納部１１０が構成されている。この収納部１１０は、扉ユニット３００を構成するクリア扉３１０を保護する上保護壁１１１及び下保護壁１１２と、扉ユニット３００を構成するクリア扉３１０及びメッキ扉３２０が、液晶表示装置２１２の表示領域を覆わない状態、すなわち、クリア扉３１０及びメッキ扉３２０が収納部１１０に収納されている状態において、センターケース１１の前面からクリア扉３１０及びメッキ扉３２０が視認できないように隠蔽するための前壁１１３と、を備えている。
【００３２】
上保護壁１１１及び下保護壁１１２は、それぞれ、クリア扉３１０の上部及び下部に対向する高さ位置に配設され、センターケース１１の右側から、クリア扉３１０の湾曲した外周に沿って、センターケース１１の中央後方へ回り込むようにして配設されている。
【００３３】
前壁１１３は、センターケース１１の右側の上保護壁１１１と下保護壁１１２との間に配設された平板部材で構成されている。この前壁１１３は、センターケース１１の前面から見た際、液晶表示装置２１２との前後位置関係において、液晶表示装置２１２の表示領域に被らない位置に配設されており、扉ユニット３００を構成するクリア扉３１０及びメッキ扉３２０が、液晶表示装置２１２の表示領域を覆わない状態にあるとき（図９,１０参照）、前壁１１３の後方にクリア扉３１０及びメッキ扉３２０が収納される。前壁１１３の幅は、センターケース１１の前面から、収納されたクリア扉３１０及びメッキ扉３２０が視認できないような幅で構成されている。これにより、前壁１１３は、クリア扉３１０及びメッキ扉３２０が液晶表示装置２１２の表示領域を覆わない状態で位置するとき、クリア扉３１０及びメッキ扉３２０を隠蔽する収納部１１０として機能する。
【００３４】
図２,３に示すように、表示制御装置４０は、センターケース１１の後方に配設されるようになっている。この表示制御装置４０は、遊技盤１の裏面に固定するための取付ベース２１１と、該取付ベース２１１に取り付けられた液晶表示装置２１２と、該液晶表示装置２１２の後方を覆うカバー部材２１３とを備える表示装置２００と、液晶表示装置２１２の表示領域の一部（右側領域）を遮蔽する扉ユニット３００とを備えている。
【００３５】
取付ベース２１１は、前方に開口した凹部２１１ａを有し、該凹部２１１ａには、遊技盤１に形成された開口１ｂに前面側から嵌め込まれて遊技盤１の裏面に延出するセンターケース１１の後部を収容可能とされている。この凹部２１１ａの奥側の壁面となる取付ベース２１１の後壁には、前後に貫通する矩形状の貫通孔２１１ｂが形成されている。この貫通孔２１１ｂは、取付ベース２１１の後方に取り付けられる表示装置２００の前部がちょうど嵌合可能な大きさとなっている。表示装置２００は液晶表示装置２１２を備え、該液晶表示装置２１２の表示部２１２ａが前面側に設けられており、貫通孔２１１ｂを介して表示部２１２ａが前方に臨むようになっている。また、取付ベース２１１の裏面には、液晶表示装置２１２の後方を覆うようにカバー部材２１３が取り付けられている。
【００３６】
図４〜８に示すように、扉ユニット３００は、取付ベース２１１の前方に開口した凹部２１１ａの右側に配設されている。この扉ユニット３００は、その外側に配設された遮蔽部材としてのクリア扉３１０と、その内側に配設された遮蔽部材としてのメッキ扉３２０と、クリア扉３１０を駆動する駆動機構としての第１駆動部３３０と、メッキ扉３２０を駆動する駆動機構としての第２駆動部３４０と、クリア扉３１０及びメッキ扉３２０の後方からパチンコ遊技機１００の前面に光を照射する照射手段としてのＬＥＤ３５０と、クリア扉３１０、メッキ扉３２０、第１駆動部３３０、第２駆動部３４０及びＬＥＤ３５０を取り付ける扉ユニットベース３６０と、を備えている。
【００３７】
クリア扉３１０は、透光性を有する部材で形成され、液晶表示装置２１２の表示領域の一部である第１領域Ｅ１を遮蔽する第１遮蔽部材としての第１クリア扉３１１と、第１クリア扉３１１により遮蔽された第１領域Ｅ１以外の表示領域の一部である第２領域Ｅ２を遮蔽する第２遮蔽部材としての第２クリア扉３１２と、を備えている。
【００３８】
第１クリア扉３１１は、液晶表示装置２１２の表示領域の一部である第１領域Ｅ１を遮蔽する第１クリア扉本体３１１ａと、第１駆動部３３０によって第１クリア扉本体３１１ａを回動させる第１回動軸としての第１クリア扉回動軸３１１ｂと、第１クリア扉本体３１１ａと第１クリア扉回動軸３１１ｂとを連結する第１クリア扉連結部３１１ｃと、を備えている。
【００３９】
第１クリア扉本体３１１ａは、所定の曲率半径で湾曲した板状の部材で形成されている。具体的には、第１クリア扉本体３１１ａの曲率半径は、上保護壁１１１及び下保護壁１１２の湾曲した箇所における曲率半径よりも小さく設計されている。第１クリア扉本体３１１ａの下端左側には、第１クリア扉３１１が回動した際、第１クリア扉本体３１１ａを液晶表示装置２１２の表示領域の一部である第１領域Ｅ１に対向する位置で制止させるための制止片３１１ａ１が延設されているとともに、第１クリア扉本体３１１ａの下部には、矩形状の開口部３１１ａ２が設けられ、当該開口部３１１ａ２には、後述する扉ユニットベース３６０を構成する第１底部３６２ａに設けられたガイド壁３６２ａ２に当接する車輪３１１ａ３が備えられている。
【００４０】
第１クリア扉回動軸３１１ｂは、上端に開口３１１ｂ１を有した有底筒状に形成されており、当該開口３１１ｂ１は、後述する第１駆動部３３０の第１駆動モータ３３１による駆動力を直接受ける第１セクタ歯車３３３の裏面に形成された取付部（図示省略）に嵌合されるようになっている。また、第１クリア扉回動軸３１１ｂの底には、貫通穴３１１ｂ２が形成されており、後述する第２クリア扉回動軸３１２ｂが貫通するようになっている。
【００４１】
第１クリア扉連結部３１１ｃは、扇形の平板部材で構成され、当該扇形状の円弧部３１１ｃ１と、第１クリア扉本体３１１ａの上部背面が連結されるとともに、当該扇形状の２本の弦が交差する交点上に、すなわち、第１クリア扉本体３１１ａの曲率半径の曲率円の中心に、第1クリア扉回動軸３１１ｂが連結されて配設されている。また、第１クリア扉連結部３１１ｃは、扇形状の円弧の両端を結ぶ線分中央に開口３１１ｃ２が設けられており、当該開口３１１ｃ２には、後述する扉ユニットベース３６０を構成する第１天井部３６１ａに当接する車輪３１１ｃ３が備えられている。
【００４２】
第２クリア扉３１２は、第１クリア扉３１１により遮蔽された第１領域Ｅ１以外の表示領域の一部である第２領域Ｅ２を遮蔽する第２クリア扉本体３１２ａと、第１駆動部３３０によって第２クリア扉本体３１２ａを回動させる第２回動軸としての第２クリア扉回動軸３１２ｂと、第２クリア扉本体３１２ａと第２クリア扉回動軸３１２ｂとを連結する第２クリア扉連結部３１２ｃと、を備えている。
【００４３】
第２クリア扉本体３１２ａは、所定の曲率半径で湾曲した板状の部材で形成されている。具体的には、第２クリア扉本体３１２ａの曲率半径は、第１クリア扉本体３１１ａにおける曲率半径よりも小さく設計されている。第２クリア扉本体３１２ａの下部には、矩形状の開口部３１２ａ１が設けられ、当該開口部３１２ａ１には、後述する扉ユニットベース３６０を構成する第２底部３６２ｂの側壁に当接する車輪３１２ａ２が備えられている。
【００４４】
第２クリア扉回動軸３１２ｂは、第１クリア扉回動軸３１１ｂに形成された貫通穴３１１ｂ２を貫通する棒状の部材で構成され、後述する第１駆動部３３０の第１駆動モータ３３１による駆動力を直接受ける第１セクタ歯車３３３と歯数の異なる第１平歯車３３５の回動軸に連結するようになっている。
【００４５】
第２クリア扉連結部３１２ｃは、扇形の平板部材で構成され、当該扇形状の円弧部３１２ｃ１と、第２クリア扉本体３１２ａの上部背面が連結されるとともに、当該扇形状の２本の弦が交差する交点上に、すなわち、第２クリア扉本体３１２ａの曲率半径の曲率円の中心に、第２クリア扉回動軸３１２ｂが連結されて配設されている。また、第２クリア扉連結部３１２ｃは、扇形状の円弧の両端を結ぶ線分中央に開口３１２ｃ２が設けられており、当該開口３１２ｃ２には、後述する扉ユニットベース３６０を構成する第３天井部３６１ｃに当接する車輪３１２ｃ３が備えられている。
【００４６】
メッキ扉３２０は、光の照射を反射する金属性部材で形成され、液晶表示装置２１２の表示領域の一部である第１領域Ｅ１を遮蔽する第１遮蔽部材としての第１メッキ扉３２１と、第１メッキ扉３２１により遮蔽された第１領域Ｅ１以外の表示領域の一部である第２領域Ｅ２を遮蔽する第２遮蔽部材としての第２メッキ扉３２２と、を備えている。
【００４７】
第１メッキ扉３２１は、液晶表示装置２１２の表示領域の一部である第１領域Ｅ１を遮蔽する第１メッキ扉本体３２１ａと、第２駆動部３４０によって第１メッキ扉本体３２１ａを回動させる第１回動軸としての第１メッキ扉回動軸３２１ｂと、第１メッキ扉本体３２１ａと第１メッキ扉回動軸３２１ｂとを連結する第１メッキ扉連結部３２１ｃと、第２駆動部３４０による第１メッキ扉本体３２１ａの回動を支持する第１メッキ扉支持部３２１ｄと、を備えている。
【００４８】
第１メッキ扉本体３２１ａは、所定の曲率半径で湾曲した板状の部材で形成されている。具体的には、第１メッキ扉本体３２１ａの曲率半径は、第２クリア扉本体３１２ａにおける曲率半径よりも小さく設計されている。第１メッキ扉本体３２１ａは、縦横４×１２マスの格子窓３２１ａ１，３２１ａ１，…が設けられるとともに、第１メッキ扉本体３２１ａの背面には、後述するＬＥＤ３５０から照射される光を拡散させる拡散フィルム（図示省略）が備えられており、格子窓３２１ａ１，３２１ａ１，…を介して、ＬＥＤ３５０から照射される光が均一に視認できるようになっている。
【００４９】
第１メッキ扉回動軸３２１ｂは、下端に開口（図示省略）を有した有底筒状に形成されており、当該開口は、後述する第２駆動部３４０の第２駆動モータ３４１による駆動力を直接受ける第２セクタ歯車３４３の平面部に形成された取付部（図示省略）に嵌合されるようになっている。また、第１メッキ扉回動軸３２１ｂの底には、貫通穴３２１ｂ１が形成されており、後述する第２メッキ扉回動軸３２２ｂが貫通するようになっている。
【００５０】
第１メッキ扉連結部３２１ｃは、扇形の平板部材で構成され、当該扇形状の円弧部（図示省略）と、第１メッキ扉本体３２１ａの下部背面と、が連結されるとともに、当該扇形状の２本の弦が交差する交点上に、すなわち、第１メッキ扉本体３２１ａの曲率半径の曲率円の中心に、第１メッキ扉回動軸３２１ｂが連結されて配設されている。また、第１メッキ扉連結部３２１ｃは、扇形状の円弧の両端を結ぶ線分中央に開口（図示省略）が設けられており、当該開口には、後述する扉ユニットベース３６０を構成する第２底部３６２ｂに当接する車輪（図示省略）が備えられている。
【００５１】
第１メッキ扉支持部３２１ｄは、扇形の平板部材で構成され、当該扇形状の２本の弦が交差する交点上に、有底筒部３２１ｄ１を備えており、後述する扉ユニットベース３６０を構成する第３天井部３６１ｃの裏面に回動自在に嵌合されるようになっている。また、第１メッキ扉支持部３２１ｄは、その扇形状の円弧部３２１ｄ２と、第１メッキ扉本体３２１ａの上部背面が連結されるようになっている。
【００５２】
第２メッキ扉３２２は、第１メッキ扉３２１により遮蔽された第１領域Ｅ１以外の表示領域の一部である第２領域Ｅ２を遮蔽する第２メッキ扉本体３２２ａと、第２駆動部３４０によって第２メッキ扉本体３２２ａを回動させる第２回動軸としての第２メッキ扉回動軸３２２ｂと、第２メッキ扉本体３２２ａと第２メッキ扉回動軸３２２ｂとを連結する第２メッキ扉連結部３２２ｃと、第２駆動部３４０による第２メッキ扉本体３２２ａの回動を支持する第２メッキ扉支持部３２２ｄと、を備えている。
【００５３】
第２メッキ扉本体３２２ａは、所定の曲率半径で湾曲した板状の部材で形成されている。具体的には、第２メッキ扉本体３２２ａの曲率半径は、第１メッキ扉本体３２１ａにおける曲率半径よりも小さく設計されている。第２メッキ扉本体３２２ａは、縦横４×１２マスの格子窓３２２ａ１，３２２ａ１，…が設けられるとともに、第２メッキ扉本体３２２ａの背面には、後述するＬＥＤ３５０から照射される光を拡散させる拡散フィルム（図示省略）が備えられており、格子窓３２２ａ１，３２２ａ１，…を介して、ＬＥＤ３５０から照射される光が均一に視認できるようになっている。
【００５４】
第２メッキ扉回動軸３２２ｂは、第１メッキ扉回動軸３２１ｂに形成された貫通穴３２１ｂ１を貫通する棒状の部材で構成され、後述する第２駆動部３４０の第２駆動モータ３４１による駆動力を直接受ける第２セクタ歯車３４３と歯数の異なる第２平歯車３４５の回動軸に連結するようになっている。
【００５５】
第２メッキ扉連結部３２２ｃは、扇形の平板部材で構成され、当該扇形状の円弧部（図示省略）と、第２メッキ扉本体３２２ａの下部背面と、が連結されるとともに、当該扇形状の２本の弦が交差する交点上に、すなわち、第２メッキ扉本体３２２ａの曲率半径の曲率円の中心に、第２メッキ扉回動軸３２２ｂが連結されて配設されている。また、第２メッキ扉連結部３２２ｃは、扇形状の円弧の両端を結ぶ線分中央に開口（図示省略）が設けられており、当該開口には、後述する扉ユニットベース３６０を構成する第３底部３６２ｃに当接する車輪（図示省略）が備えられている。
【００５６】
第２メッキ扉支持部３２２ｄは、扇形の平板部材で構成され、当該扇形状の２本の弦が交差する交点上に、有底筒部３２２ｄ１を備えており、第１メッキ扉支持部３２１ｄの有底筒部３２１ｄ１の裏面に回動自在に嵌合されるようになっている。また、第２メッキ扉支持部３２２ｄは、その扇形状の円弧部３２２ｄ２と、第２メッキ扉本体３２２ａの上部背面が連結されるようになっている。
【００５７】
第１駆動部３３０は、クリア扉３１０を、液晶表示装置２１２の表示領域を覆う第１状態と、液晶表示装置２１２を覆わない第２状態と、に変換可能な駆動機構として機能するものであり、駆動力を発生させるための第１駆動モータ３３１と、第１駆動モータ３３１のモータ軸（図示省略）に固定された第１駆動歯車３３２と、この第１駆動歯車３３２に噛み合う扇形状の第１セクタ歯車３３３と、この第１セクタ歯車３３３と噛み合う第１二段歯車３３４と、この第１二段歯車３３４と噛み合う第１平歯車３３５と、を備えている。
【００５８】
第１駆動モータ３３１は、後述する扉ユニットベース３６０を構成する第１天井部３６１ａの表面上にスペーサ３６１ａ１を介してモータ軸が下向きとなるように配設されている。そして、このモータ軸に固定された第１駆動歯車３３２は、第１天井部３６１ａの表面上に配設された第１セクタ歯車３３３と噛み合うように配設されている。
【００５９】
第１セクタ歯車３３３は、扇形状をなしたセクタ歯車（扇形歯車）で、第１セクタ歯車３３３の裏面、すなわち、第１天井部３６１ａの表面と対向する面には、第１クリア扉回動軸３１１ｂの開口３１１ｂ１に嵌合する取付部（図示省略）が備えられている。そして、第１セクタ歯車３３３は、第１天井部３６１ａに設けられた貫通穴３６１ａ２を介して、第１クリア扉回動軸３１１ｂと連結されている。これにより、第１セクタ歯車３３３は、第１クリア扉３１１を回動させる第１クリア扉回動軸３１１ｂに駆動力を伝達する伝達手段として機能する。また、第１セクタ歯車３３３の回動軸中心に貫通穴（図示省略）が形成されており、後述する第２クリア扉回動軸３１２ｂが貫通するようになっている。
【００６０】
第１二段歯車３３４は、回動軸を共通とし、外径の異なる２枚の平歯車を重ねた歯車である。具体的には、この第１二段歯車３３４のうち下段の歯車３３４ａは、上段の歯車３３４ｂよりも、外形が小さい。そして、この下段の歯車３３４ａは、第１セクタ歯車３３３に噛み合い、上段の歯車３３４ｂは、第１平歯車３３５に噛み合うように構成されている。
【００６１】
第１平歯車３３５は、第１セクタ歯車３３３の上方に、第１セクタ歯車３３３の貫通穴を介して挿通された第２クリア扉回動軸３１２ｂに連結されるとともに、第１二段歯車３３４のうちの上段の歯車３３４ｂに噛み合うように配設されている。これにより、第１平歯車３３５は、第２クリア扉３１２を回動させる第２クリア扉回動軸３１２ｂに駆動力を伝達する伝達手段として機能する。
【００６２】
第２駆動部３４０は、メッキ扉３２０を、液晶表示装置２１２の表示領域を覆う第１状態と、液晶表示装置２１２を覆わない第２状態と、に変換可能な駆動機構として機能するものであり、駆動力を発生させるための第２駆動モータ３４１と、第２駆動モータ３４１のモータ軸（図示省略）に固定された第２駆動歯車３４２と、この第２駆動歯車３４２に噛み合う扇形状の第２セクタ歯車３４３と、この第２セクタ歯車３４３と噛み合う第２二段歯車３４４と、この第２二段歯車３４４と噛み合う第２平歯車３４５と、を備えている。
【００６３】
第２駆動モータ３４１は、後述する扉ユニットベース３６０を構成する第１底部３６２ａの凹部３６２ａ１に配設され、モータ軸が上向きとなるように配設されている。そして、このモータ軸に固定された第２駆動歯車３４２は、第１底部３６２ａの表面上に配設された第２セクタ歯車３４３と噛み合うように配設されている。
【００６４】
第２セクタ歯車３４３は、扇形状をなしたセクタ歯車（扇形歯車）で、第２セクタ歯車３４３の表面、すなわち、第２底部３６２ｂの裏面と対向する面には、第１メッキ扉回動軸３２１ｂの開口に嵌合する取付部（図示省略）が備えられている。そして、第２セクタ歯車３４３は、第２底部３６２ｂに設けられた貫通穴３６２ｂ１を介して、第１メッキ扉回動軸３２１ｂと連結されている。これにより、第２セクタ歯車３４３は、第１メッキ扉３２１を回動させる第１メッキ扉回動軸３２１ｂに駆動力を伝達する伝達手段として機能する。また、第２セクタ歯車３４３の回動軸中心に貫通穴（図示省略）が形成されており、後述する第２メッキ扉回動軸３２２ｂが貫通するようになっている。
【００６５】
第２二段歯車３４４は、回動軸を共通とし、外径の異なる２枚の平歯車を重ねた歯車である。具体的には、この第２二段歯車３４４のうち上段の歯車３４４ａは、下段の歯車３４４ｂよりも、外形が小さい。そして、この上段の歯車３４４ａは、第２セクタ歯車３４３に噛み合い、下段の歯車３４４ｂは、第２平歯車３４５に噛み合うように構成されている。
【００６６】
第２平歯車３４５は、第２セクタ歯車３４３の下方に、第２セクタ歯車３４３の貫通穴を介して挿通された第２メッキ扉回動軸３２２ｂに連結されるとともに、第２二段歯車３４４のうちの下段の歯車３４４ｂに噛み合うように配設されている。これにより、第２平歯車３４５は、第２メッキ扉３２２を回動させる第２メッキ扉回動軸３２２ｂに駆動力を伝達する伝達手段として機能する。
【００６７】
扉ユニットベース３６０は、第１駆動部３３０を配設する天井部３６１と、第２駆動部３４０を配設する底部３６２と、天井部３６１と底部３６２との間に空間を形成するための取付ベース部３６３と、を備えている。
【００６８】
天井部３６１は、それぞれ平面視略半円形状をなした、第１天井部３６１ａと、第１天井部３６１ａの下方に配設された第２天井部３６１ｂと、第２天井部３６１ｂの下方に配設された第３天井部３６１ｃと、を備えている。
【００６９】
第１天井部３６１ａは、その表面上に、第１駆動モータ３３１を固定するためのスペーサ３６１ａ１，３６１ａ１，…と、第１クリア扉回動軸３１１ｂを挿通するための貫通穴３６１ａ２と、第１二段歯車３３４を回動させる回動軸３６１ａ３と、第１駆動部３３０を覆うカバー（図示省略）を取り付けるためのボス３６１ａ４，３６１ａ４，…等を備えている。また、第１天井部３６１ａの円弧形状の縁部には、第１クリア扉３１１の上部を保護する第１天井保護壁３６１ａ５が当該縁部から下方に垂設されている。なお、第１天井保護壁３６１ａ５は、第１クリア扉３１１の可動範囲に対応する範囲で配設されている。
【００７０】
第２天井部３６１ｂは、その表面上に、有底筒状に形成された第１クリア扉回動軸３１１ｂを配設するための円形リブ３６１ｂ１と、第２クリア扉回動軸３１２ｂを挿通するための貫通穴３６１ｂ２と、第１クリア扉３１１が回動する際、第１クリア扉連結部３１１ｃの回動をガイドする第１ガイドリブ３６１ｂ３と、第１クリア扉３１１の回動を制止する起立片３６１ｂ４と、第１天井部３６１ａと第２天井部３６１ｂとの間に、第１クリア扉連結部３１１ｃを配設するためのスペースを設けて固定するためのボス３６１ｂ５，３６１ｂ５，…とを備えている。なお、当該ボス３６１ｂ５のうち、第１ガイドリブ３６１ｂ３上に配設されたボス３６１ｂ５は、第１クリア扉連結部３１１ｃの回動を制止する機能をも有する。
【００７１】
第３天井部３６１ｃは、その表面上に、第２クリア扉回動軸３１２ｂを挿通するための貫通穴３６１ｃ１と、第２クリア扉３１２が回動する際、第２クリア扉連結部３１２ｃの回動をガイドする第２ガイドリブ３６１ｃ２と、第２天井部３６１ｂと第３天井部３６１ｃとの間に、第２クリア扉連結部３１２ｃを配設するためのスペースを設けて固定するためのボス３６１ｃ３，３６１ｃ３とを備えている。なお、当該ボス３６１ｃ３，３６１ｃ３は、第２ガイドリブ３６１ｃ２上に配設されており、第２クリア扉連結部３１２ｃの回動を制止する機能をも有する。
【００７２】
底部３６２は、それぞれ平面視略半円形状をなした、第１底部３６２ａと、第１底部３６２ａの上方に配設された第２底部３６２ｂと、第２底部３６２ｂの上方に配設された第３底部３６２ｃと、を備えている。
【００７３】
第１底部３６２ａは、その表面上に、第２駆動モータ３４１を配設するための凹部３６２ａ１と、第１クリア扉３１１の回動をガイドするとともに、第１クリア扉３１１の下部を保護するガイド壁３６２ａ２と、を備えている。このガイド壁３６２ａ２は、第１クリア扉３１１の可動範囲を囲うようにして立設されており、ガイド壁３６２ａ２の内壁に車輪３１１ａ３が当接するようになっている。また、第１底部３６２ａには、第１底部３６２ａと第２底部３６２ｂとの間に一定のスペースを設けて固定するための取付穴３６２ａ３，３６２ａ３を備えている。
【００７４】
第２底部３６２ｂは、その表面上に、有底筒状に形成された第１メッキ扉回動軸３２１ｂを配設するための貫通穴３６２ｂ１と、第１メッキ扉３２１を載置するための第１ステージ部３６２ｂ２と、を備えている。また、第２底部３６２ｂは、その裏面には、第１底部３６２ａに配設された取付穴３６２ａ３に対向する位置に突起部３６２ｂ３，３６２ｂ３が配設されており、それぞれの取付穴３６２ａ３に突起部３６２ｂ３が、一定のスペースを設けて、嵌合するようになっている。
【００７５】
第３底部３６２ｃは、その表面上に、第２メッキ扉回動軸３２２ｂを挿通するための貫通穴３６２ｃ１と、第２メッキ扉３２２を載置するための第２ステージ部３６２ｃ２と、を備えるとともに、その裏面には、第２底部３６２ｂと第３底部３６２ｃとの間に、第１メッキ扉連結部３２１ｃを配設するためのスペースを設けて固定するとともに、第１メッキ扉連結部３２１ｃの回動を制止するための扇形のスペーサ３６２ｃ３と、第２底部３６２ｂと第３底部３６２ｃとを固定するためのボス３６２ｃ４と、を備えている。なお、当該ボス３６２ｃ４は、第３底部３６２ｃ裏面の円弧上に配設されており、第１メッキ扉連結部３２１ｃの回動を制止する機能をも有する。
【００７６】
取付ベース部３６３は、天井部３６１を固定する天井固定部３６３ａと、底部３６２を固定する底部固定部３６３ｂと、天井固定部３６３ａと底部固定部３６３ｂとを連接する柱部３６３ｃと、天井部３６１をカバーする天井カバー部３６３ｄと、底部３６２をカバーする底カバー部３６３ｅと、を備えている。
【００７７】
天井固定部３６３ａは、略矩形の平板部材で構成され、天井部３６１の背面を固定するための固定部（図示省略）によって、天井部３６１を固定することができるようになっている。また、同様に、底部固定部３６３ｂも、略矩形の平板部材で構成され、底部３６２の背面を固定するための固定部（図示省略）によって、底部３６２を固定することができるようになっている。
【００７８】
柱部３６３ｃは、天井固定部３６３ａと底部固定部３６３ｂとを連接する平板部材で構成されており、扉ユニットベース３６０の前面からみて右側に配設されている。また、柱部３６３ｃの平面上には、照射手段としてのＬＥＤ３５０が配設されている。これにより、ＬＥＤ３５０は、クリア扉３１０及び／又はメッキ扉３２０によって液晶表示装置２１２の表示領域を覆った状態において、扉ユニットベース３６０の背面に配設される液晶表示装置２１２とクリア扉３１０及び／又はメッキ扉３２０とにより形成される空間部に配設されたこととなり、ＬＥＤ３５０は、当該空間部に光を照射する照射手段として機能する。
【００７９】
天井カバー部３６３ｄは、平面視略半円形状をなした平板部材で構成され、第３天井部３６１ｃの下方に配設されている。この天井カバー部３６３ｄは、その右側に起立片３６３ｄ１を備えており、柱部３６３ｃの上部に固定されるようになっている。
【００８０】
底カバー部３６３ｅは、天井カバー部３６３ｄと同様に、平面視略半円形状をなした平板部材で構成され、第３底部３６２ｃの上方に配設されている。この底カバー部３６３ｅは、その右側に起立片３６３ｅ１を備えており、柱部３６３ｃの下部に固定されるようになっている。
【００８１】
次に、クリア扉３１０及びメッキ扉３２０の開閉動作について説明する。
通常、例えば、変動表示ゲームが行われていない場合等は、図９，１０に示すように、クリア扉３１０及びメッキ扉３２０は、クリア扉３１０及びメッキ扉３２０が閉じた状態、すなわち、液晶表示装置２１２の表示領域を覆わない状態（第２状態）にある。このとき、第１クリア扉３１１及び第２クリア扉３１２並びに第１メッキ扉３２１及び第２メッキ扉３２２は、互いに、収納部１１０に重なり合うように収納されている。
【００８２】
そして、図１１,１２に示すように、変動表示ゲームが開始され、例えば、通常のリーチ状態からスペシャルリーチに発展した場合、第２駆動部３４０を駆動する。このとき、メッキ扉３２０のうち、回動速度の違いから、まず、第２メッキ扉３２２が回動し、液晶表示装置２１２の一部である第１領域Ｅ１を遮蔽する。このとき、第３底部３６２ｃには、第２メッキ扉３２２の位置が第１領域Ｅ１に達したことを検知する近接スイッチ（図示省略）が備えられており、かかる近接スイッチにより、第２メッキ扉３２２を第１領域Ｅ１で制止させることができる。また、スペシャルリーチでも大当りの確率が高いリーチパターンの場合には、さらに、第２駆動部３４０を駆動して、第１メッキ扉３２１及び第２メッキ扉３２２を回動させ、第１領域Ｅ１以外の表示領域の一部である第２領域Ｅ２をも遮蔽する。
【００８３】
また、変動表示ゲームが開始され、通常のリーチ状態からスペシャルリーチに発展した場合、メッキ扉３２０ではなく、クリア扉３１０を開いても良い。具体的には、図１３,１４に示すように、第１駆動部３３０を駆動して、クリア扉３１０のうち、回動速度の違いから、まず、第２クリア扉３１２が回動し、液晶表示装置２１２の一部である第１領域Ｅ１を遮蔽する。このとき、第３天井部３６１ｃには、第２クリア扉３１２の位置が第１領域Ｅ１に達したことを検知する近接スイッチ（図示省略）が備えられており、かかる近接スイッチにより、第２クリア扉３１２を第１領域Ｅ１で制止させることができる。また、スペシャルリーチでも大当りの確率が高いリーチパターンの場合には、さらに、第１駆動部３３０を駆動して、第１クリア扉３１１及び第２クリア扉３１２を回動させ、第１領域Ｅ１以外の表示領域の一部である第２領域Ｅ２をも遮蔽する。
【００８４】
また、図１５,１６に示すように、通常のリーチ状態から大当りの確率が高いスペシャルリーチに発展し、第１メッキ扉３２１及び第２メッキ扉３２２によって、第１領域Ｅ１及び第２領域Ｅ２が遮蔽されている状態において、さらに、大当りの確率が高いプレミアムリーチに発展した場合には、第１駆動部３３０を駆動して、クリア扉３１０のうち、回動速度の違いから、まず、第２クリア扉３１２が回動し、液晶表示装置２１２の一部である第１領域Ｅ１を遮蔽する。このとき、第３天井部３６１ｃには、第２クリア扉３１２の位置が第１領域Ｅ１に達したことを検知する近接スイッチ（図示省略）が備えられており、かかる近接スイッチにより、第２クリア扉３１２を第１領域Ｅ１で制止させることができる。また、スペシャルリーチでも大当りの確率が高いリーチパターンの場合には、さらに、第１駆動部３３０を駆動して、第１クリア扉３１１及び第２クリア扉３１２を回動させ、第１領域Ｅ１以外の表示領域の一部である第２領域Ｅ２をも遮蔽する。
【００８５】
このように、本発明の実施形態におけるパチンコ遊技機１００によれば、液晶表示装置２１２の表示領域を覆わない第２状態のときは、クリア扉３１０及び／又はメッキ扉３２０が遊技者に認識不可能な状態で収納部１１０に隠蔽されているので、液晶表示装置２１２の表示領域を覆う第１状態になるとき、収納部１１０に隠蔽されているクリア扉３１０及び／又はメッキ扉３２０が突然出現して液晶表示装置２１２の表示領域を覆うので、液晶表示装置２１２による演出表示とクリア扉３１０及び／又はメッキ扉３２０による演出とによる意外性のある演出表示を行い、従来にない斬新な演出を実現することができる。
【００８６】
また、クリア扉３１０及びメッキ扉３２０は、所定の曲率半径で湾曲した板部材で、第１駆動部３３０及び第２駆動部３４０によって、当該曲率半径における曲率円の中心を軸としてクリア扉３１０及びメッキ扉３２０を回動させることができるので、パチンコ遊技機１００の前面から収納部１１０を見た場合、平板状のクリア扉３１０及びメッキ扉３２０を単にスライドさせて収納部１１０に隠蔽する場合に比べて、遊技機が有する奥行きを有効に活用して、クリア扉３１０及びメッキ扉３２０を隠蔽する収納部１１０の幅を小さくすることができ、クリア扉３１０及びメッキ扉３２０を違和感なく好適に隠蔽することができる。
【００８７】
また、液晶表示装置２１２の表示領域の一部である第１領域Ｅ１を遮蔽する第１クリア扉３１１及び第１メッキ扉３２１と、第１クリア扉３１１及び第１メッキ扉３２１により遮蔽された第１領域Ｅ１以外の表示領域の一部である第２領域Ｅ２を遮蔽する第２クリア扉３１２及び第１メッキ扉３２２と、を備えているので、遊技者は第１領域Ｅ１と第２領域Ｅ２のうちどちらの領域が遮蔽されるかという期待感を持つことができ、液晶表示装置２１２による演出表示とクリア扉３１０及びメッキ扉３２０による演出とにより意外性のある演出表示を行い、従来にない斬新な演出を実現することができる。
また、第１クリア扉３１１及び第１メッキ扉３２１の曲率半径を第２クリア扉３１２及び第１メッキ扉３２２の曲率半径よりも大きくし、第１クリア扉３１１及び第１メッキ扉３２１並びに第２クリア扉３１２及び第１メッキ扉３２２を収納部に重なり合うように収納することができるので、収納部１１０がコンパクト化され、遮蔽部材を違和感なく好適に隠蔽することができる。
【００８８】
また、クリア扉３１０及びメッキ扉３２０は、透光性を有するので、液晶表示装置２１２の表示領域が遮蔽された場合でも、表示部に表示された内容が視認でき、同時に、ＬＥＤ３５０によって、液晶表示装置２１２とクリア扉３１０及びメッキ扉３２０とにより形成される空間部に光を照射することができる。
従って、液晶表示装置２１２による発光とＬＥＤ３５０による発光とが相俟って、より一層、意外性のある演出表示を行い、従来にない斬新な演出を実現することができる。
【００８９】
なお、本発明のパチンコ遊技機１００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００９０】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９１】
例えば、本実施例においては、クリア扉３１０及び／又はメッキ扉３２０によって、液晶表示装置２１２の表示領域の一部を遮蔽する設計としたが、これに限らず、当該表示領域の全てを遮蔽する設計であっても良い。
また、第２クリア扉３１２及び／又は第２メッキ扉３２２によって、第１領域Ｅ１以外の表示領域の一部である第２領域Ｅ２を遮蔽する設計としたが、これに限らず、第１領域Ｅ１以外の表示領域の全部を遮蔽する設計であっても良い。
【符号の説明】
【００９２】
１００      パチンコ遊技機（遊技機）
１１        センターケース
１１０      収納部
２００      表示装置
３００      扉ユニット
３１０      クリア扉（遮蔽部材）
３２０      メッキ扉（遮蔽部材）
３３０      第１駆動部（駆動機構）
３４０      第２駆動部（駆動機構）
【図１】
0005594702.tif 000002
【図２】
0005594702.tif 000003
【図３】
0005594702.tif 000004
【図４】
0005594702.tif 000005
【図５】
0005594702.tif 000006
【図６】
0005594702.tif 000007
【図７】
0005594702.tif 000008
【図８】
0005594702.tif 000009
【図９】
0005594702.tif 000010
【図１０】
0005594702.tif 000011
【図１１】
0005594702.tif 000012
【図１２】
0005594702.tif 000013
【図１３】
0005594702.tif 000014
【図１４】
0005594702.tif 000015
【図１５】
0005594702.tif 000016
【図１６】
0005594702.tif 000017